(57)【要約】データ信号（ＤＳ）の品質を決定するための決定手段（１０）であって、データ信号（ＤＳ）はデータブロックから成り、各前記データブロックは構造において少なくとも２次元であり少なくとも２つのデータ領域を有する決定手段（１０）において、少なくとも１つのデータブロックのデータ領域が正当であるか不正であるかを評価し、前記評価結果を表す正当性情報（ＱＩ）を生成し出力する正当性評価手段（７）と、正当性情報処理手段（９）が備えられ、これら手段は正当性情報（ＱＩ）に基づいてデータ信号（ＤＳ）の品質を決定するように構成される。
2005501365.tif 000002
【特許請求の範囲】
【請求項１】
データ信号の品質を決定する決定手段であって、前記データ信号はデータブロックから成り、各前記データブロックは構造において少なくとも２次元であり少なくとも２つのデータ領域を有し、
前記決定手段は、少なくとも１つの前記データブロックが正当であるか不正であるかを評価し、前記評価の結果を表す正当性情報を生成し出力するように構成された正当性評価手段を有する決定手段において、
前記正当性情報に基づいて前記データ信号の品質を決定するように構成された正当性情報処理手段が備えられることを特徴とする決定手段。
【請求項２】
前記正当性情報処理手段は、前記正当性情報によって決定可能な少なくとも１つの前記データブロックの不正なデータ領域の数に基づいて、前記データ信号の品質を決定するように構成されることを特徴とする、請求項１に記載の決定手段。
【請求項３】
前記正当性情報処理手段は、少なくとも１つの前記データブロックの不正なデータ領域の制限値と比較して前記データ信号の品質を決定するように構成されることを特徴とする、請求項１に記載の決定手段。
【請求項４】
前記正当性情報処理手段は、前記データ信号の前記決定された品質を表す品質表示信号を出力するように構成されることを特徴とする、請求項１に記載の決定手段。
【請求項５】
データ信号の品質を決定する決定方法であって、前記データ信号はデータブロックから成り、各前記データブロックは構造において少なくとも２次元であり少なくとも２つのデータ領域を有し、前記決定方法は、
少なくとも１つの前記データブロックが正当であるか不正であるかを評価するステップと、
前記評価の結果を表す正当性情報を生成し出力するステップと、
を有する決定方法において、前記データ信号の品質が前記正当性情報に基づいて決定されることを特徴とする決定方法。
【請求項６】
前記データ信号の品質は、前記正当性情報によって決定可能な少なくとも１つの前記データブロックの不正なデータ領域の数に基づいて決定されることを特徴とする、請求項５に記載の決定方法。
【請求項７】
前記データ信号の品質は、少なくとも１つの前記データブロックの不正なデータ領域の制限値と比較して決定されることを特徴とする、請求項５に記載の決定方法。
【請求項８】
前記データ信号の前記決定された品質を表す品質表示信号が出力されることを特徴とする、請求項５に記載の決定方法。
【請求項９】
データ信号を処理するデータ処理装置であって、
前記データ信号の品質を決定する決定手段を持ち、前記データ信号はデータブロックから成り、各前記データブロックは構造において少なくとも２次元であり少なくとも２つのデータ領域を有し、
前記決定手段は、少なくとも１つの前記データブロックのデータ領域が正当であるか不正であるかを評価し、前記評価の結果を表す正当性情報を生成し出力するように構成される正当性評価手段を有するデータ処理装置において、
前記正当性情報に基づいて前記データ信号の品質を決定するように構成される正当性情報処理手段が備えられることを特徴とするデータ処理装置。
【請求項１０】
前記正当性情報処理手段は、前記正当性情報によって決定可能な少なくとも１つの前記データブロックの不正なデータ領域の数に基づいて前記データ信号の品質を決定するように構成されることを特徴とする、請求項９に記載のデータ処理装置。
【請求項１１】
前記正当性情報処理手段は、少なくとも１つの前記データブロックの不正なデータ領域の制限値と比較して前記データ信号の品質を決定するように構成されることを特徴とする、請求項９に記載のデータ処理装置。
【請求項１２】
前記正当性情報処理手段は、前記データ信号の前記決定された品質を表す品質表示信号を出力するように構成されることを特徴とする、請求項９に記載のデータ処理装置。
【発明の詳細な説明】
【技術分野】
【０００１】
本発明は、データ信号の品質を決定する決定手段であって、前記データ信号はデータブロックから成り、各前記データブロックは構造において少なくとも２次元であり少なくとも２つのデータ領域を有し、前記決定手段は、少なくとも１つの前記データブロックが正当であるか不正であるかを評価し、前記評価の結果を表す正当性情報を生成し出力するように構成された正当性評価手段を有する決定手段に関する。
【０００２】
本発明はまた、データ信号の品質を決定する決定方法であって、前記データ信号はデータブロックから成り、各前記データブロックは構造において少なくとも２次元であり少なくとも２つのデータ領域を有し、前記決定方法は、少なくとも１つの前記データブロックが正当であるか不正であるかを評価するステップと、前記評価の結果を表す正当性情報を生成し出力するステップと、を有する決定方法に関する。
【０００３】
本発明は更に、データ信号を処理するデータ処理装置であって、前記データ信号の品質を決定する決定手段を持ち、前記データ信号はデータブロックから成り、各前記データブロックは構造において少なくとも２次元であり少なくとも２つのデータ領域を有し、前記決定手段は、少なくとも１つの前記データブロックのデータ領域が正当であるか不正であるかを評価し、前記評価の結果を表す正当性情報を生成し出力するように構成される正当性評価手段を有するデータ処理装置に関する。
【背景技術】
【０００４】
最初の段落において上述されたようなタイプの決定手段、２番目の段落において上述されたようなタイプの決定方法、及び３番目の段落において上述されたようなタイプのデータ処理装置は、欧州特許ＥＰ０５５９２７７Ａ１より知られている。
【０００５】
既知のデータ処理装置は、コンパクトディスクに記録データを書き込むための、読み取り／書き込み装置として設計される。ここで前記記録データの書き込みはデータ部の形をとって実行され、各データ部が書き込まれた後、各データ部はチェックリードされる。前記データ処理装置は、既知の決定手段を有し、該決定手段によって既知の決定方法が実行され、それにより、データ信号によって表現された各チェックリードされたデータ部に基づいて、該データ信号の品質が決定され、その結果として前記記録されたデータ部の品質も評価される。この目的のため前記決定手段は、前記データ信号中の誤りを検出し、基準に従って前記検出された誤りを計数するように構成される。ここで計数結果は前記データ信号の品質を示すために計数手段によって出力され、前記記録データの書き込みに影響を与えるパラメータを最適化するためにデータ処理装置において利用される。そのため、それぞれのデータ部の前記最適化されたパラメータを用いた再書き込みが任意に実行され得る。例えば前記データ信号に含まれた誤り訂正符号と関連して、前記データ信号中に含まれる幾つのデータブロックが誤りを示しているかを統計値として示すブロック誤り率が、基準として開示されている。開示されている他の基準は、データ部毎の誤りの数が閾値を超えてはならないというものである。
【発明の開示】
【発明が解決しようとする課題】
【０００６】
既知のデータ処理装置、既知の決定手段及び既知の決定方法における問題点は、前記データ信号の品質が決定されたとき、品質決定の結果として、前記データ処理装置は前記データ部がコンパクトディスクに再書き込みされる必要があるか否かを決定しなければならないため、前記チェックリードされたデータ部のみが評価されるという点である。それ故この場合、全体の記録データを表現するデータ信号のリアルタイムのデータ処理の場合に前記データ信号の処理の間に中断されない方法で必要とされるため、前記記録データの全体の品質についての信頼できる記述は不可能である。
【０００７】
本発明の目的は、最初の段落において上述したタイプの決定手段、２番目の段落において上述したタイプの決定方法、及び３番目の段落において上述したタイプのデータ処理装置に関連する以上に列記した問題点を除去し、改善された決定手段、改善された決定方法、及び改善されたデータ処理装置を提供することにある。
【課題を解決するための手段】
【０００８】
最初の段落において上述したタイプの決定手段に関して上述の目的を達成するために、本発明によって、前記正当性情報に基づいて前記データ信号の品質を決定するように構成された正当性情報処理手段が備えられる。
【０００９】
上述の目的を達成するために、２番目の段落において上述したタイプの決定方法について本発明による特徴が、かような方法が以下のように特徴付けられるように提供される。即ち：
データ信号の品質を決定する決定方法であって、前記データ信号はデータブロックから成り、各前記データブロックは構造において少なくとも２次元であり少なくとも２つのデータ領域を有し、前記決定方法は、
少なくとも１つの前記データブロックが正当であるか不正であるかを評価するステップと、
前記評価の結果を表す正当性情報を生成し出力するステップと、
を有する決定方法において、前記データ信号の品質が前記正当性情報に基づいて決定されることを特徴とする決定方法。
【００１０】
３番目の段落において上述したタイプのデータ処理装置に関して上述の目的を達成するために、本発明によって、前記正当性情報に基づいて前記データ信号の品質を決定するように構成される正当性情報処理手段が備えられる。
【００１１】
本発明による手段を備えることにより、例えばデータ記憶媒体に記録されデータ信号を構成する全体の記録情報の、又は送信されるべきものであってデータ信号を構成する全体の送信情報の、複数のデータブロックから成るデータ信号の品質が、単に少なくとも１つのデータブロックのデータ領域が正当であるか不正であるかの評価にのみ基づいて確立されることができることが有利に保証される。従って、前記データ信号全体の品質が、前記データ信号の単一のデータブロックのデータ領域の評価に基づいて信頼性高く決定されることができる。また、かようなデータ信号の品質が、リアルタイムで、即ち実質的に前記データ領域の正当性が評価された時において確立されることができるという利点が更に達成される。このことは、前記データ信号がリアルタイムで処理される場合、例えばデータ記憶媒体からの記録情報の時間遅延された繰り返されるチェックリード、又は送信情報の再送信が、リアルタイム処理の望ましくない中断を伴わずには不可能である場合、特に有利である。なぜなら、これらは例えばオーディオ送信における音響の中断又は画像送信の場合の「フリーズした」画像コンテンツのようなものに導くからである。また、前記確立された前記データ信号の品質に基づいて、データ信号の保存即ち信頼性の高い保持の持続に関するデータ記憶媒体の安定性に関して、又はデータ信号の送信に関する送信リンクの安定性に関する結論が導かれ得るという利点が更に達成される。そのため、特にデータ信号のリアルタイムのデータ処理について重要であり、一般に許容できない、又はデータ信号の取り返しがつかない総損失とさえなり得る、リアルタイム処理の中断が信頼性高く防止され得る。
【００１２】
本発明に関しては、データ信号の品質は前記正当性情報の統計的な評価に基づいて決定されることができる。しかしながら該正当性情報は、実質的に常に前記統計的な評価に関する時間消費に関連している。なぜなら、該評価は常に時間遅延方式でのみ実行されることができるものであり、それ故、前記データ信号の時間が重要ではない処理の場合のみにおいては問題のないものであるからである。更に、データ信号の品質の決定は、前記正当性情報によって決定可能な絶対値の基づいて実行され得る。該絶対値は、例えば少なくとも１つのデータパケットの正当なデータ領域の数を示す。しかしながら、前記正当性情報の処理手段が、前記正当性情報によって決定可能な、少なくとも１つのデータブロックの正当なデータ領域の数に基づいて前記データ信号の品質を決定するように構成されることは特に有利であることがわかっている。このようにして、前記データ信号の品質が、望ましくない遅延を伴わずに、即ちリアルタイムで実際に確立され得るという利点が達成される。なぜなら、正当なデータ領域の数に比べて不正なデータ領域の数は実質的に常に、データ信号の品質の決定において優位であるからである。
【００１３】
本発明に関しては、前記正当性情報の処理手段が、前記少なくとも１つのデータブロックの不正なデータ領域の値の制限値と比較して前記データ信号の品質を決定するように構成されることは有利であることが更にわかっている。このようにして、前記データ信号の品質が、少なくとも１つのデータブロックの不正なデータ領域の制限値に対して明確に確立され、且ついずれの所望の定義に対してもオープンではないという利点が達成される。この状況においては、少なくとも１つのデータブロックの不正なデータ領域の制限値は、各データブロック中に備えられているエラー訂正符号によって規定されることが特に有利であることがわかっている。なぜなら、これによって実際にデータ信号の品質の決定が、中断のないリアルタイムなデータ処理に関して、それぞれのデータ信号について技術的に可能である、少なくとも１つのデータブロックの不正なデータ領域の最大制限値に調整されるからである。なぜなら、信号損失が発生しないことが該制限値まで技術的に保証されるからである。このことは特にデータ信号の品質を確立する場合にリアルタイムデータ処理に関して決定的に重要である。
【００１４】
本発明に関しては、前記正当性情報の処理手段は、前記データ信号の前記決定された品質を表す品質表示信号を出力するように構成されることが有利であることが更にわかっている。このようにして、データ信号の前記決定された品質が、可能な限り容易に利用可能であるという利点が達成される。前記品質表示信号は例えば電気信号から成っても良く、これにより該電気信号が、例えば制御目的のためのような更なる処理のために、取得可能であり且つ直接に利用可能であるという利点が達成される。この状況においては、前記決定された品質が、前記品質表示信号を表す音響信号又は光信号の形で出力されることは特に有利であることがわかっている。このようにして、データ信号の品質及び従ってデータ信号の送信に関する送信リンクの安定性又はデータ信号の保存即ち信頼性の高い保持の持続に関するデータ記憶媒体の安定性が、ユーザに明確に伝達されるという決定的な利点が達成される。前記光信号に関連して、前記光信号がスカラ方式で表示されることが特に有利であることが更にわかっている。このようにして、データ記憶媒体又は送信リンクの安定性の明確な伝達に加え、前記送信リンクにおける干渉の度合い、又は前記データ記憶媒体の磨耗若しくは汚れ及び前記データ記憶媒体への損傷の度合いが、ユーザに伝達され得るという決定的な利点が達成される。なぜなら、これらの年数、製造、又は利用により決定されるデータ記憶媒体への影響、又はこれらの送信リンクにおける厄介な影響は、特にリアルタイムのデータ処理における利用のための適合性に関する決定的な基準を構成するからである。スケーリングされた表現によって伝達された前記品質に基づいて、データ記憶媒体がより適切なデータ記憶媒体に取り替えられるべきか否か、若しくはデータ記憶媒体に記録されたデータ信号がより適切なデータ記憶媒体にコピーされるべきか否か、又は送信リンクに関する送信パラメータが変更されるべきか否かといった決定が、適時にユーザによって為されることができる。
【発明を実施するための最良の形態】
【００１５】
本発明は、図に示される２つの実施例を参照しながら更に説明されるが、本発明はこれらに限定されるものではない。
【００１６】
図１は、デジタル信号ＤＳを処理するように構成されたデータ処理装置１を示す。ここでデータ信号ＤＳはビデオ信号を表す。データ処理装置１は、ハードディスクビデオレコーダの形をとる。従って、データ処理装置１は、データ信号ＤＳをデータ記憶媒体２に記録し、データ記憶媒体２からデータ信号ＤＳを再生するように構成される。ここでデータ記憶媒体２はハードディスクの形をとる。
【００１７】
データ処理装置１は、ビデオ信号受信手段３ａ、ビデオ信号出力手段３ｂ及びデータ信号処理手段４を有する。前記ビデオ信号は、ビデオ信号受信手段３ａによってアンテナ（図１には図示されていない）からデータ処理装置１又はデータ信号処理手段４へ送られても良い。前記ビデオ信号は、ビデオ信号出力手段３ｂによって、データ処理装置１又はデータ信号処理手段４によりテレビジョンセット（図１には図示されていない）に送信されても良い。
【００１８】
データ信号処理手段４は、前記受信されたビデオ信号を処理するように構成される。ここでデータ信号ＤＳは、データ信号処理手段４によって記録の目的のために生成され出力されても良い。この目的のために、データ信号処理手段４は、前記受信されたビデオ信号のＭＰＥＧ符号化し、データ記憶媒体２に記録するためにデータ信号ＤＳを準備するように構成される。データ信号処理手段４は更に、データ記憶媒体２によって再生されたデータ信号ＤＳを受信し、ビデオ信号出力手段３ｂによって前記再生されたデータ信号ＤＳから生成可能なビデオ信号を生成し出力するように構成される。
【００１９】
データ記憶媒体２に記録するために準備され及びデータ記憶媒体２によって再生されるデータ信号ＤＳは、データブロックを有する。各データブロックは構造において少なくとも２次元であり、少なくとも２つのデータ領域を有する。ハードディスクの形をとるデータ記憶媒体２にデータ信号ＤＳを記録する際には慣例的であるように、各データ領域は所謂データセクタの形をとる。各データセクタはセクタデータを有する。本例における前記データブロックの第１の次元は、データ領域を形成するデータセクタの形をとる。
【００２０】
本例においては、各データブロックは６４個のデータセクタを有し、各データセクタは５１２バイトから成る。全体で６４個のデータセクタのうち、５８個のデータセクタのみが有用なデータを備える。ここで前記有用なデータとは、前記ビデオ信号の情報内容を表す。有用なデータを有する前記５８個のデータセクタは、前記有用なデータに加えて有用なテストデータを有する。該有用なデータ中の誤りは、前記有用なテストデータによって検出されることができる。
【００２１】
各データブロックの残りの６個のデータセクタは、訂正データと、該訂正データに加えて訂正テストデータを有する。ここで前記訂正データ中の誤りは、前記訂正テストデータによって検出されることができる。それぞれのデータセクタのセクタデータは、前記訂正データによって訂正されることができる。前記訂正データは、「有限のフィールドＧＦ（２８）」に渡って、当業者には十分良く知られる「リードソロモン符号ＲＳ（６４，５８）」によって符号化される。ＲＳ（６４，５８）符号化により、本例においては最大でも６個のデータセクタからのセクタデータが、データブロックの前記訂正データによって訂正され得る。従って、本例においては６個のデータセクタが、誤ったデータセクタについての制限値を構成し、該制限値については全体のデータ信号ＤＳが損失なくリアルタイムに処理され得ることが技術的に保証される。
【００２２】
前記データブロックの第２の次元は本例においてはＲＳ（６４，５８）符号語から成り、該符号語のそれぞれは各場合において有用なデータを有する５８個のデータセクタの１つからの１バイトによって、及び各場合において訂正データを有する６個のデータセクタのうちの１つによって形成される。本例においては、各場合において１つの符号語を形成するバイトは、前記６４個のデータセクタ内の同一のバイト位置に配置される。従って、各データブロックは構造において２次元である。専門家の間では、かような２次元構造のデータブロックは２次元誤り訂正符号又はＥＣＣとして知られる。
【００２３】
しかしながら、各場合において前記ＲＳ符号語を形成するバイトは、前記６４個のデータセクタ内の同一でないバイト位置に配置され得ることは留意されるべきである。かような符号語は専門家の間では、スクランブルド（scrambled）又はインタリーブド（interleaved）符号語として知られ、これらはスクランブル又はインタリーブの度合いに依存して、２．５次元又は３次元誤り訂正符号化、即ち２．５次元又は３次元データブロック構造を含むものとして理解される。しかしながら、前記データブロックはより大きな数の次元を用いて構成され得る。前記データブロックに関連して、各データブロックはここで示されたものから逸脱した多くのデータ領域を有しても良いことも留意されるべきである。更に、データ領域毎のバイトの数は原則的に５１２とは異なっても良い。更に、ＲＳ（６４，５８）符号化から逸脱した符号化がデータの訂正のために選択されても良く、そのためそれぞれの逸脱した符号化に従って前記６個のデータ領域から逸脱した制限値が得られても良い。
【００２４】
データ処理装置１は更に記録／再生装置５を有する。記録／再生装置５は、データ信号処理手段４によって準備されたデータ信号ＤＳを受信し、データ記憶媒体２にデータ信号ＤＳを記録し、データ記憶媒体２から前記記録されたデータ信号ＤＳを再生し、前記再生されたデータ信号ＤＳを出力するように構成される。記録／再生装置５は加えて、データ記憶媒体２が交換されることができるように、データ記憶媒体２を排出し、データ記憶媒体２を受容するように構成される。この状況においては、記録／再生装置５は、データ記憶媒体２の交換の際に、データ記憶媒体２が記録／再生装置５によって完全に受容され、データ信号ＤＳを記録するために利用可能となるとすぐに、初期化信号Ｓを生成し出力するように構成される。
【００２５】
データ処理装置１は更に誤り検出／訂正手段６を有する。誤り検出／訂正手段６は、記録／再生装置５とデータ信号処理手段４との間に収容され、データ記憶媒体２によって再生されたデータ信号ＤＳを受信し、データ信号ＤＳのセクタデータ中の誤りを検出し、前記検出された誤りを訂正し、誤りのないデータ信号ＤＳをデータ信号処理手段４に送信するように構成される。この目的のため、誤り検出／訂正手段６は、正当性評価手段７及び誤り訂正段８を有し、正当性評価手段７及び誤り訂正段８は、前記再生されたデータ信号ＤＳを受信するように構成される。正当性評価手段７は、少なくとも１つのデータブロックのデータ領域即ちデータセクタが正当であるか不正であるかを評価し、前記評価結果を表す正当性情報ＱＩを生成し誤り訂正段８に出力するように構成される。
【００２６】
正当性情報ＱＩは、誤り訂正段８によって必要とされる情報を有し、この情報によってデータブロックの誤ったデータセクタの訂正が、それぞれのデータブロックの訂正データによって、誤り訂正段８により実行されることができる。本例においては、誤り検出／訂正手段６は、従来の２段構造を有する。従って、正当性評価手段７は従来のセクタデータ誤り検出段の形をとり、当該データセクタ内で単一の誤りが検出されるとすぐにデータセクタを不正なものと評価し、正当性情報ＱＩによって、前記誤ったデータセクタを訂正するために必要とされる情報として、不正と評価された前記データセクタの位置を誤り訂正段８に送信する。しかしながら、データブロックのデータセクタが正当か不正かを評価することは、単一の誤り以外に依存しても良いことは留意されたい。
【００２７】
誤り訂正段８は正当性情報ＱＩを受信し、前記受信された正当性情報ＱＩに基づきデータブロックの不正と評価されたデータセクタの誤ったセクタデータを訂正するように構成される。誤り訂正段８は更に、前記誤ったセクタデータの訂正の後任意に、誤りのないセクタデータを有する再生されたデータ信号ＤＳを出力するように構成される。
【００２８】
本発明によれば、データ処理装置１は正当性情報処理手段９を有する。正当性情報処理手段９は、正当性情報ＱＩを受信し、正当性情報ＱＩに基づいてデータ信号ＤＳの品質を決定するように構成される。正当性評価手段７及び正当性情報処理手段９は、データ信号ＤＳの品質を決定する決定手段１０を形成する。この目的のため、正当性情報処理手段９は、評価手段１１、ブロック計数手段１２、メモリ手段１３、出力手段１４を有する。これらの手段１１、１２、１３及び１４は以下により詳細に考察される。
【００２９】
ブロック計数手段１２は、前記再生されたデータ信号ＤＳのデータブロックの数を計数するために備えられる。この目的のため、ブロック計数手段１２は、ブロック計数信号ＣＳを受信し、ブロック計数信号の受信の結果として値１だけブロック計数を増加するように構成される。ブロック計数手段１２は加えて、ブロック計数データＣＤによって、ブロック計数を表し、ブロック計数データＣＤを出力するように構成される。
【００３０】
メモリ手段１３は最大数データＭＮＤを保存するために備えられる。最大数データＭＮＤはデータブロックの不正なデータ領域から生じる最大数を表す。
【００３１】
正当性情報処理手段９は、正当性情報ＱＩによって決定可能な少なくとも１つのデータブロックの不正なデータ領域の数に基づき、データ信号ＤＳの品質を決定するように構成される。ここで本例においては、各データブロックが前記データ信号の品質を決定するために利用される。この目的のため、評価手段１１は、正当性情報ＱＩを受信し、データブロックの不正なデータ領域の数に関して前記受信された正当性情報ＱＩを評価するように構成される。本例においては、評価手段１１は、データブロックの誤ったデータセクタの数に関して正当性情報ＱＩを評価するように構成され、該データセクタはそれぞれのセクタデータ中に少なくとも単一の誤りを有する。評価手段１１は加えて、データブロックの誤ったデータセクタの数を表す数データを生成し、これらの数データをメモリ手段１３に保存された最大数データＭＮＤと比較するように構成される。前記数データが、最大数データＭＮＤによって表される数より大きな、データブロックの誤ったデータセクタの数を表す場合には、評価手段１１は前記数データを新たな最大数データＭＮＤとしてメモリ手段１３に送信するように構成される。これはメモリ手段１３によって、これらの新たな最大数データＭＮＤを保存するためである。
【００３２】
正当性情報処理手段９は更に、各データブロックの不正なデータ領域の前記制限値と比較して、データ信号ＤＳの品質を決定するように構成される。この目的のため、評価手段１１は、前記数データの最大数データＭＮＤとの各比較の後に、品質表示信号ＱＳを生成するように構成される。ここで最大数データＭＮＤが１又は２の数を表す場合、優れた品質を表す品質表示信号ＱＳが生成され、最大数データＭＮＤが３、４又は５を表す場合、平均的な品質を表す品質表示信号ＱＳが生成され、最大数データＭＮＤが６を表す場合、悪い品質を表す品質表示信号ＱＳが生成されても良い。従って本例においては、品質表示信号ＱＳはデータ信号ＤＳの３つの品質の等級を表す。この点において、決定手段１０の用途のそれぞれの分野に応じて、他の数の品質の等級が提供されても良いことは留意されるべきである。
【００３３】
出力手段１４は、品質表示信号ＱＳを受信し、前記決定されたデータ信号ＤＳの品質を表す品質表示信号ＱＳをスカラ光信号として出力するように構成される。出力手段１４は、図１には示されていないが、光信号の形で品質表示信号ＱＳを出力する３つの発光ダイオード、即ち緑色の発光ダイオード、黄色の発光ダイオード、及び赤色の発光ダイオードを有する。出力手段１４は更に、品質表示信号によって表される品質等級を復号化し、前記復号化された品質等級に応じて、前記３つの発光ダイオードのうちの１つをスイッチオンする、即ち電力を供給するように構成される。品質表示信号ＱＳが優れた品質を表す場合、出力手段１４は前記緑色の発光ダイオードをスイッチオンするように構成される。品質表示信号ＱＳが平均的な品質を表す場合、出力手段１４は前記黄色の発光ダイオードをスイッチオンするように構成される。品質表示信号ＱＳが悪い品質を表す場合、出力信号１４は前記赤色の発光ダイオードをスイッチオンするように構成される。従って、正当性情報処理手段９は、データ信号ＤＳの前記決定された品質を表す品質表示信号ＱＳを出力するように構成される。出力手段１４は、悪い品質を表す品質表示信号ＱＳを出力するための、単一の発光ダイオード即ち赤色の発光ダイオードを有しても良いことは留意されたい。加えて、前記３つの品質等級を出力するために、３色発光ダイオードが備えられても良いことは留意されるべきである。
【００３４】
本例においては、重要性の理由のため、評価手段１１は前記記録されたデータ信号ＤＳの最初の５０個のデータブロックの再生の後にのみ、品質表示信号ＱＳを出力するように構成される。この目的のため、ブロック計数信号ＣＳは、データブロックの誤ったデータセクタの数に関する正当性情報ＱＩの各評価の後に、評価手段１１によってブロック計数手段１２に送信されても良い。ここでブロック計数信号ＣＳは、ブロック計数手段１２において、ブロック計数の値１だけの増加を引き起こす。評価手段１１は加えて、ブロック計数データ（ＣＤ）にアクセスし、データブロックの数を表すブロック計数データＣＤを数５０と比較し、ブロック計数データＣＤが数５０を表すとすぐに品質表示信号ＱＳを出力するように構成される。ブロック計数データＣＤが数５０を表すと、評価手段１１はブロック計数信号ＣＳを抑止するように構成され、そのため前記ブロック計数はそれ以上増加されない。この点において、データブロックのいずれの他の数も利用されて良いことは留意されるべきである。同様に、正当性情報処理手段９はいずれのブロック計数手段１２を有さないようなものであっても良く、評価手段１１は品質表示信号ＱＳの即時の生成及び出力のために構成されても良い。
【００３５】
正当性情報処理手段９は加えて、初期化信号Ｓを受信するように構成される。ここで正当性情報処理手段９は初期化信号Ｓの受信の結果として初期状態に設定されても良い。前記初期状態においては、正当性情報処理手段９は、正当性評価手段７によって正当性情報処理手段９に正当性情報ＱＳが送られるまで停止される。ここで正当性情報ＱＩは前記再生されたデータ信号ＤＳの最初のデータブロックの評価の評価結果を表す。前記初期状態においては、メモリ手段１３は値０を表す最大数データＭＮＤを示す。更に前記初期状態においては、ブロック計数手段１２は、数０を表す計数データＣＤを表す。加えて前記初期状態においては、出力手段１４の前記３つの発光ダイオードのいずれもがスイッチオンされておらず、データ信号ＤＳの最初の５０個のデータブロックが再生されるまで実際に前記３つの発光ダイオードのいずれもがスイッチオンされない。評価手段１１は、前記初期状態においては、品質表示信号ＱＳの出力を抑止し、正当性情報ＱＩの最初の受信を待機するように構成される。ここで正当性情報ＱＩは、前記再生されたデータ信号ＤＳの最初のデータブロックの評価の評価結果を表す。
【００３６】
本例においては、データ処理装置１の決定手段１０はハードウェアの形をとる。そのため、前記制限値は、データストリームＤＳのデータブロックの６つの不正なデータ領域によって予め設定される。しかしながら、決定手段１０はソフトウェアの形をとっても良く、例えばデータ記憶媒体２は各場合に存在するリードソロモン符号又は他のいずれの符号についての情報を含んでも良く、そのためデータ信号ＤＳの品質の決定は、各場合において選択された符号に依存する制限値に関して実行されても良いことは留意されるべきである。前記制限値は加えて、前記データ記憶媒体の記録媒体の物質に依存しても良いことも留意されたい。
【００３７】
以下に、図１によるデータ処理装置１の応用の例を参照しながら、データ処理装置１の動作の方法が説明される。ここで本発明による決定方法が実行される。即ち：少なくとも１つのデータブロックのデータ領域が正当であるか不正であるかの評価、前記評価結果を表す正当性情報ＱＩの生成及び出力、及び正当性情報ＱＩに基づくデータ信号ＤＳの品質の決定である。ここで本例においては、各データブロックのデータ領域が評価される。
【００３８】
本応用の例によれば、最初にデータ記憶媒体２に保存されたデータ信号ＤＳはビデオ信号の形でビデオフィルムを表し、データ記憶媒体２はわずかな汚れを示し、そのためデータブロック毎に多くても２つのデータセクタが誤ったセクタデータを示すことが仮定される。データ記憶媒体２は、データ処理装置１のユーザにより、データ信号ＤＳの再生の目的のために記録／再生装置５に挿入され、この際に記録／再生装置５によって初期化信号Ｓが正当性情報処理手段９に出力され、これにより後者はデータ信号ＤＳの再生の開始まで前記初期状態に導かれる。
【００３９】
前記データ記憶媒体の記録／再生装置５への挿入の後、ユーザは図１には図示されていない開始手段を用いてデータ信号ＤＳの再生を開始する。次いで、前記再生されたデータ信号ＤＳを構成するデータブロックは、記録／再生装置５によって誤り検出／訂正手段６に送信され、そこで正当性評価手段７及び誤り訂正段８に送られる。正当性評価手段７は、前記セクタデータ中の少なくとも１つの誤りを示すデータブロックのデータセクタを不正なものと評価する。正当性評価手段７は正当性情報ＱＩを生成し、誤り訂正段８へ送信する。するとすぐに誤り訂正手段８は正当性情報ＱＩに基づいて誤ったセクタデータの訂正を従来の方法で実行し、その結果データ信号ＤＳを形成する誤ったデータブロックは、誤り検出／訂正手段６によりデータ信号処理手段４に送信される。
【００４０】
データ信号ＤＳの最初のデータブロックから始めて、正当性情報処理手段９は、正当性情報ＱＩによって決定可能な不正なデータデータ領域の数に基づき、本発明による決定方法によってデータ信号ＤＳの品質の決定を実行する。ここで最初に、評価手段１１によって、正当性情報ＱＩが個々のデータブロック中の不正なデータセクタの数に関して評価される。前記評価の結果として数データが形成され、該数データはデータブロック中の不正なデータセクタの数を表す。これらの数データは評価手段１１によってメモリ手段１３中に保存された最大数データＭＮＤと比較され、前記数データが最大数データＭＮＤによって表される数よりも大きな数を表す場合には、新たな最大数データＭＮＤとしてメモリ手段１３に出力され、メモリ手段１３によって保存される。このことは、データブロックが誤ったセクタデータを示す少なくとも１つのデータセクタを含む場合には、データ信号ＤＳの再生の開始の後に常に行われる。本例においては、１０番目のデータのみが２つの不正なデータセクタを示し、データ信号ＤＳの残りのデータブロックの全てのセクタデータが誤りがないことが仮定され、そのため前記１０番目のデータブロックの不正なデータ領域を示す正当性情報ＱＩの受信の後且つ該正当性情報ＱＩの評価の後に、数２を表す最大数データＭＮＤがメモリ手段１３に出力されメモリ手段１３において保存される。
【００４１】
更に、正当性情報処理手段９において、データ信号ＤＳの品質が、各データブロックの不正なデータ領域の制限値と比較して、本発明に決定方法により決定される。この目的のため、ブロック計数信号ＣＳは、正当性情報ＱＩの評価が終了するたびに、評価手段１１によってブロック計数手段１２に出力される。これによりブロック計数はブロック計数手段１２において値１だけ増加される。前記ブロック計数を表すブロック計数データＣＤは次いで評価手段１１によってブロック計数手段１２から読み出され、計数データＣＤによって表される値は値５０と比較される。評価手段１１によってブロック計数手段１２から５０より大きな値を表すブロック計数データＣＤが読み出されるとすぐに、評価手段１１によって品質表示信号ＱＳが生成され出力手段１４に出力される。本例においては、最大数データＭＮＤが値２を表すため、品質表示信号ＱＳは優れた品質のデータ信号ＤＳを表す。本例においてはデータ記憶媒体２に記録されたデータ信号ＤＳは、データブロック毎に２より多きくない誤ったセクタデータを含むデータブロックのみを示すため、データ信号ＤＳの再生の期間中、出力手段１４によって前記緑色の発光ダイオードがスイッチオンされる。従って、正当性情報処理手段９において、データ信号ＤＳの前記決定された品質を表す品質表示信号ＱＳは、本発明による決定方法によって生成され、光信号として出力される。
【００４２】
かくして、データ処理装置１のユーザには、データ記憶媒体２によって再生されたデータ信号ＤＳは優れた品質のものであり、従ってデータ記憶媒体２は無視できるほどの損傷又は汚れしか示さないことが完全に明らかである。
【００４３】
以下において、比較的長い期間に渡ってユーザが、繰り返しデータ記憶媒体２を記録／再生装置５から取り外し、一時的に保存し、記録／再生装置５に再挿入することを仮定する。頻繁な繰り返される取り外し、一時的な保存及び記憶／再生装置５への再挿入を通して、データ記憶媒体２は永続的に汚れる。なぜなら前記データ記憶媒体のこの取り扱いは一般に、例えば居間のような、ほこりの汚れが実際には排除できないような環境において行われるからである。データ記憶媒体の汚れの結果として、データ記憶媒体２に記録されたデータ信号ＤＳの１００番目のデータブロックが、誤ったセクタデータを有する６つのデータセクタを含み、残りのデータブロックは誤ったセクタデータを示す６つより少ないデータセクタを含むと仮定する。それ故、前記１００番目のデータブロックのデータ領域の評価の間、正当性情報ＱＩが正当性評価手段７によって生成される。該情報に基づき、該データブロック中の不正なデータ領域の数に関してこの正当性情報ＱＩの評価の間に評価手段１１によって数データが生成される。ここで該数データは数６を表す。先行するデータブロックの正当性情報ＱＩの評価は、数６より大きな数を生成していないため、該数データが新たな最大数データＭＮＤとしてメモリ手段１３に保存される。更に、評価手段１１は品質表示信号ＱＳを生成する。該品質表示信号ＱＳはデータ信号ＤＳの悪い品質を表す。出力手段１４において、この品質表示信号ＱＳが復号化され、品質表示信号ＱＳによって表されるデータ信号ＤＳの悪い品質により、前記赤色の発光ダイオードがスイッチオンされる。ユーザにとっては、赤色の発光ダイオードの存在は、データ記憶媒体２によって再生されたデータ信号ＤＳは悪い品質のものであり、従ってデータ記憶媒体２は無視できるものとはもはや考えられない汚れ又は損傷を示すことの明確且つ明白な示唆である。前記赤色の発光ダイオードは、近い将来にビデオの乱されない楽しみを保証できなくなる可能性があるという事実をユーザに明確に通知する。このことは、前記制限値を越える多くのデータブロックの不正なデータ領域によって引き起こされるデータ信号ＤＳの全体の損失が、データ記憶媒体２への更なる汚れ又は更なる損傷によって発生し得るため、とりわけ当てはまる。従って、データ信号ＤＳの継続的な存在を保証するために、該ユーザがデータ記憶媒体２に記録されたデータ信号ＤＳを、新たな、とりわけ綺麗で損傷のないデータ記憶媒体にコピーする必要があるという事実を、ユーザが適時に通知されるという利点が達成される。
【００４４】
前記データブロックの計数は、５０個のデータブロックが計数された後に終了せず、計数されたデータブロックの数が、データ信号ＤＳのデータブロックに総数に対してデータ信号ＤＳの前記決定された品質の意義を示すために利用されても良いことは留意されたい。
【００４５】
加えて、データ記憶媒体２は再書き込み可能な「デジタル・バーサタイル・ディスク」すなわちＤＶＤ、又はコンパクトディスク即ちＣＤの形をとっても良いことは留意されたい。
【００４６】
加えて、記録／再生装置５へのデータ記憶媒体２の挿入の際に、汚れ又は損傷によって引き起こされるデータ記憶媒体２の問題のある領域について、データ信号ＤＳの品質の自動決定が提供されても良いことは留意されたい。かような問題のある領域は、例えばコンパクトディスクの場合においては、該コンパクトディスクが以前にユーザによってつかまれた領域である。
【００４７】
図２に示されたデータ処理装置１は、スタジオ外での専門的な利用のためのビデオカメラ（図２には図示していない）の構成要素を構成する。この理由のため、スタジオ外で利用された場合に不可避な前記ビデオカメラ又はデータ記憶媒体２の汚れを避けるため、記録／再生装置５はータ記憶媒体２の交換のためには設計されていない。従って、データ処理装置１の場合においては、データ記憶媒体２に記録されたデータ信号ＤＳの品質の予期される損傷の主な原因は、データ記憶媒体２へのデータ信号ＤＳの記録の間の過度の振動である。従って、図２に示されたデータ処理装置１の場合においては、図１に示されたデータ処理装置１と比較すると、初期化信号Ｓが供給されない。本例においては、データ記憶媒体２はデータ信号ＤＳの磁気記録及び再生のために構成されたハードディスクの形をとる。従って、かようなデータ記憶媒体２の場合においては、記録／再生装置５もデータ信号ＤＳを記録し再生するように構成される。
【００４８】
図１に示されたデータ処理装置１とは対照的に、図２に示された正当性情報処理手段９は、第１の誤り計数手段１６、第２の誤り計数手段１７及び第３の誤り計数手段１８を有する。これら手段１６、１７及び１８は以下により詳細に考察される。
【００４９】
第１の誤り計数手段１６は、１つの不正なデータブロック又は２つの不正なデータ領を有し、定義上良い品質のデータ信号ＤＳの一部を構成するデータブロックの数を計数するために備えられる。この目的のため、第１の誤り計数手段１６は、第１の誤り計数信号ＣＳ１を受信し、前記第１の誤り計数信号ＣＳ１の受信の結果として、第１の誤り計数データＣＤ１によって表される第１の誤り計数を値１だけ増加させ、第１の誤り計数データＣＤ１を出力するように構成される。
【００５０】
第２の誤り計数手段１７は、３つ又は４つの不正なデータ領域を有し、定義上平均的な品質のものであるデータ信号ＤＳの一部を形成するデータブロックの数を計数するために備えられる。この目的のため、第２の誤り計数手段１７は、第２の誤り計数信号ＣＳ２を受信し、第２の誤り計数信号ＣＳ２の受信の結果として、第２の誤り計数データＣＤ２によって表される第２の誤り計数を値１だけ増加させ、第２の誤り計数データＣＤ２を出力するように構成される。
【００５１】
第３の誤り係数手段１８は、５つ又は６つの不正なデータ領域を有し、定義上悪い品質を示すデータ信号ＤＳの一部を構成するデータブロックの数を計数する。なぜなら、技術的に信頼性の高い前記不正なデータ領域の訂正は、データブロック毎に最大でも６つの不正なデータ領域までのみ保証されるからである。計数の目的のため、第３の誤り計数手段は、第３の誤り計数信号ＣＳ３を受信し、第３の誤り計数信号ＣＳ３の受信の結果として、第３の誤り計数データＣＤ３によって表される第３３の誤り計数を値１だけ増加させ、第３の誤り計数データＣＤ３を出力するように構成される。
【００５２】
本例において、評価手段１１は、データブロックの不正なデータ領域の数に関する正当性情報ＱＩの評価の結果として、及び不正なデータブロックの数に応じてそれぞれの誤り計数信号ＣＳ１、ＣＳ２又はＣＳ３を生成し、該信号をそれぞれの誤り計数手段１６、１７又は１８に送信するように構成される。評価手段１１は加えて、誤り計数データＣＤ１、ＣＤ２及びＣＤ３の３つの項目を受信するように構成される。評価手段１１は加えて、前記受信された計数データＣＤ１、ＣＤ２及びＣＤ３に基づいて品質表示信号ＱＳを生成し出力するように構成される。図１に示されたデータ処理装置１に類似して、本例においても図２示されたデータ処理装置１によって生成された品質表示信号ＱＳは、データ信号ＤＳの３つの品質の等級を表す。即ち、本例においては、最大で２つの不正なデータ領域を持つデータブロックが存在する場合には優れた品質、最大で４つの不正なデータ領域を持つデータブロックが存在する場合には平均的な品質、最大で６つの不正なデータ領域を持つデータブロックが存在する場合には悪い品質、である。該３つの品質の等級に加え、本例における品質表示信号ＱＳは、それぞれの品質の等級についての不正なデータ領域の、計数データＣＤ１、ＣＤ２及びＣＤ３の３つの項目によって表される頻度をも表す。
【００５３】
出力手段１４は、図２には図示されていない表示手段を有し、本例においては該表示手段は従来のＬＣＤ表示装置の形をとり、該ＬＣＤ表示装置は英数字文字列を表示し、３つのバーから成る棒グラフを表示するように構成される。出力手段１４は、悪い品質を示す品質表示信号ＱＳの受信の際には、「記録は悪い品質のものである」という表現を含む第１の英数字文字列を生成し、平均的な品質を示す品質表示信号ＱＳの受信の際には、「記録は平均的な品質のものである」という表現を含む第２の英数字文字列を生成し、優れた品質を示す品質表示信号ＱＳの受信の際には、「記録は優れた品質のものである」という表現を含む第３の英数字文字列を生成し、それぞれの英数字文字列を前記ＬＣＤ表示装置に送信するように構成される。出力手段１４は更に、前記受信された品質表示信号ＱＳに応じて、前記ＬＣＤ表示装置によって３つのバーから成る棒グラフを生成するように構成される。ここで第１のバーは第１の計数データＣＤ１を表し、第２のバーは第２の計数データＣＤ２を表し、第３のバーは第３の計数データＣＤ３を表す。出力手段１４は加えて、悪い品質のデータ信号ＤＳの場合において、「最後のショットは繰り返される必要がある」と表現された、付加的な英数字情報を生成するように構成される。かくして、例えばデータ記憶媒体２へのデータ信号ＤＳの記録の間の振盪又は振動の結果として生じ得る不利な動作条件に起因する、データ記憶媒体２に記録されたデータ信号ＤＳの品質の明確な表示が、データ信号ＤＳの再生の際にデータ処理装置１のユーザに伝達されるという利点が達成される。
【００５４】
データブロックの前記計数された数は、それぞれの品質の等級について不正なデータ領域の相対的な頻度を示すために利用されても良いことは留意されたい。
【００５５】
データブロックのデータ領域の正当性の評価の間に、全てのデータ領域を評価する必要はないことは言及され得る。この点について、例えばデータブロックの２個おきのデータのみが評価されるように規定することも可能である。同様に、前記データ領域の評価は例えばランダム的に実行されても良い。
【００５６】
加えて、データ信号ＤＳの品質の決定において、全てのデータブロックを利用する必要はなく、例えば６４個のデータブロックから、１６個おきのデータブロック、又は３２個おきのデータブロックのみを利用しても良いことは留意されたい。
【００５７】
加えて、データ信号ＤＳは、データ源として機能し決定手段１０を有するサーバから発生されても良いことは留意されたい。
【００５８】
データ信号ＤＳの無線送信の場合においては、データ信号ＤＳの受信器は決定手段１０を備えても良いことは留意されたい。
【００５９】
加えて、データ信号ＤＳは、オーディオ信号又はビデオ信号とオーディオ信号との組み合わせ等を表しても良いことは留意されたい。
【図面の簡単な説明】
【００６０】
【図１】本発明の第１の実施例によるデータ処理装置の、ブロック図の形をとる模式的な図である。
【図２】本発明の第２の実施例によるデータ処理装置の、ブロック図の形をとる模式的な図である。
【国際公開パンフレット】
2005501365.tif 000003
2005501365.tif 000004
2005501365.tif 000005
2005501365.tif 000006
2005501365.tif 000007
2005501365.tif 000008
2005501365.tif 000009
2005501365.tif 000010
2005501365.tif 000011
2005501365.tif 000012
2005501365.tif 000013
2005501365.tif 000014
2005501365.tif 000015
2005501365.tif 000016
2005501365.tif 000017
2005501365.tif 000018
2005501365.tif 000019
2005501365.tif 000020
2005501365.tif 000021
2005501365.tif 000022
2005501365.tif 000023
2005501365.tif 000024
【国際調査報告】
2005501365.tif 000025
2005501365.tif 000026
2005501365.tif 000027